(57)【要約】【課題】撮影者と被写体となった人物とが異なる場合に、撮影前に被写体側でも画像の構図、被写体自身の姿勢、および表情などの撮影状況を把握可能にする。【解決手段】カメラは、被写体を撮影して画像を取得する取得手段７と、画像を撮影者に向けて表示する第１表示器１７と、画像を被写体に向けて表示する第２表示器３と、取得手段７で取得した画像に人物が含まれているか否かを判定する判定手段９と、判定手段により画像に人物が含まれていると判定された画像を第２表示器に表示する表示制御手段９とを備える。【選択図】図２
2008228053.tif 000002
【特許請求の範囲】
【請求項１】
被写体を撮影して画像を取得する取得手段と、
前記画像を撮影者に向けて表示する第１表示器と、
前記画像を前記被写体に向けて表示する第２表示器と、
前記取得手段で取得した画像に人物が含まれているか否かを判定する判定手段と、
前記判定手段により前記画像に人物が含まれていると判定された画像を前記第２表示器に表示する表示制御手段とを備えることを特徴とするカメラ。
【請求項２】
被写体を撮影して画像を取得する取得手段と、
前記画像を撮影者に向けて表示する第１表示器と、
前記画像を前記被写体に向けて表示する第２表示器と、
前記取得手段で取得した画像に人物が含まれているか否かを判定する判定手段と、
前記判定手段により前記画像に人物が含まれていると判定された画像を前記第１および第２表示器に表示し、前記判定手段により前記画像に人物が含まれていないと判定された画像を前記第１表示器だけに表示する表示制御手段とを備えることを特徴とするカメラ。
【請求項３】
請求項１または２に記載のカメラにおいて、
前記取得した画像に対して顔認識処理を行なって顔を認識する顔認識手段を備え、
前記判定手段は、前記顔認識手段による顔認識処理に基づいて、前記取得手段で取得した画像に人物が含まれているか否かを判定することを特徴とするカメラ。
【請求項４】
請求項３に記載のカメラにおいて、
人物の顔を撮像して得た画像を登録する人物登録手段をさらに備え、
前記顔認識手段により認識された人物の顔が前記登録された人物の顔であると判定された場合に、前記表示制御手段は前記画像を前記第２表示器へ表示することを特徴とするカメラ。
【請求項５】
請求項１または２に記載のカメラにおいて、
前記取得手段は、複数の撮影モードの中から選択されたいずれかの撮影モードにより前記画像を取得し、
前記判定手段は、人物の撮影に関する撮影モードが選択されて取得された画像は、人物が含まれている画像であると判定することを特徴とするカメラ。
【請求項６】
請求項１乃至５のいずれか一項に記載のカメラにおいて、
前記第２表示器の拡大画像を生成する拡大手段をさらに備え、
前記表示制御手段は、前記拡大手段により生成された前記拡大画像を前記第２表示器に表示することを特徴とするカメラ。
【請求項７】
請求項６に記載のカメラにおいて、
前記第１表示器上で、前記拡大手段が生成する前記拡大画像の中心位置を指定する指定手段をさらに備えることを特徴とするカメラ。
【請求項８】
請求項１乃至７のいずれか一項に記載のカメラにおいて、
前記第１表示器は前記カメラの筐体の背面に、前記第２表示器は前記カメラの筐体の前面に設けられることを特徴とするカメラ。
【請求項９】
請求項１乃至７のいずれか一項に記載のカメラにおいて、
前記第２表示器は、少なくとも前記被写体に向けて画像を表示する位置へ移動するようにカメラ本体に設けられていることを特徴とするカメラ。
【請求項１０】
被写体を撮影して画像を取得する取得手段と、
前記画像を撮影者に向けて表示する表示器と、
前記画像を投射するプロジェクタと、
前記取得手段で取得した画像に人物が含まれているか否かを判定する判定手段と、
前記判定手段により前記画像に人物が含まれていると判定された画像を前記プロジェクタから投射する投射制御手段とを備えることを特徴とするカメラ。
【発明の詳細な説明】
【技術分野】
【０００１】
本発明は、複数方向へ画像を表示できるカメラに関する。
【背景技術】
【０００２】
従来から、前面表示部を備え、自分撮りが可能なカメラが知られている（たとえば、特許文献１）。
【特許文献１】特開２００４−２４１８８３号公報
【発明の開示】
【発明が解決しようとする課題】
【０００３】
しかしながら、従来のカメラでは、撮影者と被写体となった人物とが異なる場合は、撮影前に被写体側で画像の構図、被写体自身の姿勢、および表情などの撮影状況を把握することはできない。
【課題を解決するための手段】
【０００４】
請求項１の発明によるカメラは、被写体を撮影して画像を取得する取得手段と、画像を撮影者に向けて表示する第１表示器と、画像を被写体に向けて表示する第２表示器と、取得手段で取得した画像に人物が含まれているか否かを判定する判定手段と、判定手段により画像に人物が含まれていると判定された画像を第２表示器に表示する表示制御手段とを備えることを特徴とする。
請求項２の発明によるカメラは、被写体を撮影して画像を取得する取得手段と、画像を撮影者に向けて表示する第１表示器と、画像を被写体に向けて表示する第２表示器と、取得手段で取得した画像に人物が含まれているか否かを判定する判定手段と、判定手段により画像に人物が含まれていると判定された画像を第１および第２表示器に表示し、判定手段により画像に人物が含まれていないと判定された画像を第１表示器だけに表示する表示制御手段とを備えることを特徴とする。
請求項３の発明は、請求項１または２のカメラにおいて、取得した画像に対して顔認識処理を行なって顔を認識する顔認識手段を備え、判定手段は、顔認識手段による顔認識処理に基づいて、取得手段で取得した画像に人物が含まれているか否かを判定することを特徴とする。
請求項４の発明は、請求項３のカメラにおいて、人物の顔を撮像して得た画像を登録する人物登録手段をさらに備え、顔認識手段により認識された人物の顔が登録された人物の顔であると判定された場合に、表示制御手段は画像を第２表示器へ表示することを特徴とする。
請求項５の発明は、請求項１または２のカメラにおいて、取得手段は、複数の撮影モードの中から選択されたいずれかの撮影モードにより画像を取得し、判定手段は、人物の撮影に関する撮影モードが選択されて取得された画像は、人物が含まれている画像であると判定することを特徴とする。
請求項６の発明は、請求項１乃至５のいずれか一項のカメラにおいて、第２表示器の拡大画像を生成する拡大手段をさらに備え、表示制御手段は、拡大手段により生成された拡大画像を第２表示器に表示することを特徴とする。
請求項７の発明は、請求項６のカメラにおいて、第１表示器上で、拡大手段が生成する拡大画像の中心位置を指定する指定手段をさらに備えることを特徴とする。
請求項８の発明は、請求項１乃至７のいずれか一項のカメラにおいて、第１表示器はカメラの筐体の背面に、第２表示器はカメラの筐体の前面に設けられることを特徴とする。
請求項９の発明は、請求項１乃至７のいずれか一項のカメラにおいて、第２表示器は、少なくとも被写体に向けて画像を表示する位置へ移動するようにカメラ本体に設けられていることを特徴とする。
請求項１０の発明によるカメラは、被写体を撮影して画像を取得する取得手段と、画像を撮影者に向けて表示する表示器と、画像を投射するプロジェクタと、取得手段で取得した画像に人物が含まれているか否かを判定する判定手段と、判定手段により画像に人物が含まれていると判定された画像をプロジェクタから投射する投射制御手段とを備えることを特徴とする。
【発明の効果】
【０００５】
本発明によれば、取得した画像に人物が含まれている場合には、被写体に向けて取得した画像を表示できる。
【発明を実施するための最良の形態】
【０００６】
−第１の実施の形態−
図面を用いて、本発明の第１の実施の形態によるカメラについて説明する。
図１(ａ)のカメラの正面斜視図に示すように、カメラ本体１には撮影レンズ２および前面モニタ３が取り付けられている。カメラ本体１の上面にはレリーズボタン４、電源スイッチ５、撮影モードの設定操作を行なうモードダイヤル６が設けられている。図１(ｂ)の背面斜視図に示すように、カメラ本体１の背面には背面モニタ１７、人物指定操作部１８、および拡大操作部１９が設けられている。
【０００７】
図２の回路構成を説明するブロック図に示すように、カメラは、前面モニタ６、撮像素子７、タイミングジェネレータ８、ＣＰＵ９、ドライバ１０、ＡＦＥ回路１１、Ａ／Ｄ変換回路１２、画像処理部１３、ＲＡＭ１４、ＲＯＭ１５、メモリカードインタフェース１６１、および背面モニタ１７を備える。撮像素子７は、画素に対応する複数の光電変換素子を備えたＣＣＤやＣＭＯＳイメージセンサによって構成される。撮像素子７は、撮像面上に結像されている被写体像を撮像し、被写体像の明るさに応じた光電変換信号を出力する。撮像素子７の撮像面には、それぞれＲ（赤）、Ｇ（緑）およびＢ（青）のカラーフィルタが画素位置に対応するように設けられている。撮像素子７がカラーフィルタを通して被写体像を撮像するため、各撮像素子から出力される撮像信号は、それぞれＲＧＢ表色系の色情報を有する。
【０００８】
タイミングジェネレータ(TG)８は、ＣＰＵ９から送出される指令に応じたタイミングで、ドライバ１０、ＡＦＥ(Analog Front End)回路１１およびＡ／Ｄ変換回路１２のそれぞれにタイミング信号を供給する。ドライバ１０は、撮像素子７に電荷を蓄積させ、蓄積電荷を掃き出させるための駆動信号を上記タイミング信号を用いて生成する。そして、ドライバ１０は、生成した駆動信号を撮像素子７へ供給する。ＡＦＥ回路１１は、撮像素子７から出力される光電変換信号（蓄積電荷）に対するアナログ処理（ゲインコントロールなど）を行なう。Ａ／Ｄ変換回路１２は、アナログ処理後の撮像信号をデジタル信号に変換する。
【０００９】
画像処理部１３は、たとえばＡＳＩＣとして構成され、撮像素子７からの画像信号に対してホワイトバランス調整や彩度補正、階調補正などの画像処理を施す。ＣＰＵ９は、図２に示した各回路を制御する。ＣＰＵ９には、半押しスイッチ４ａ、全押しスイッチ４ｂ、電源スイッチ５、モードダイヤル６、人物指定操作部１８および拡大操作部１９が接続されている。ＣＰＵ９は、画像処理部１３から出力される画像データに含まれる色情報に基づいて撮影画面内における人物の顔認識を行う。すなわち、ＣＰＵ９は、撮影画面内の肌色領域を抽出し、肌色領域内に一対の目および鼻などの人物の顔を特徴付ける情報を検出すると、その領域を顔領域として認識する。そして、ＣＰＵ９は、画像処理部１３から入力した画像データに対してＪＰＥＧなどの所定の方式により圧縮処理を施し、ＥＸＩＦなどの形式で記録媒体１６へ記録する。
【００１０】
ＲＡＭ１４は、画像処理、画像圧縮処理および表示用画像データ作成処理の途中や処理後のデータを一時的に格納するために使用される。表示用画像データは、画像処理部１３が撮像素子７からの出力に基づいて生成した画像データ、もしくは記録媒体１６に記録されている画像データに基づいて、ＣＰＵ９により生成される。生成された表示用画像データは、ＣＰＵ９によりＲＡＭ１４に格納される。ＲＯＭ１５は、たとえばＣＰＵ９が演算を行なうための各種の処理プログラムが記憶された不揮発性メモリである。
【００１１】
ＬＣＤ駆動回路６１および１７１はＣＰＵ９の命令に基づいて前面モニタ６および背面モニタ１７のそれぞれを駆動し、前面モニタ６および背面モニタ１７は画像を表示する。また、背面モニタ１７は、デジタルカメラの各種設定メニュー画面の表示を行なう。
【００１２】
メモリカードインタフェース１６１は、記録媒体１６が着脱可能なインタフェースである。メモリカードインタフェース１６１は、ＣＰＵ９の制御に基づいて、ＲＡＭ１４に一時的に格納された画像データを記録媒体１６に書き込んだり、記録媒体１６に記録されている画像データを読み出す。
【００１３】
人物指定操作部１８は、たとえばジョグダイヤルや十字キーで構成され、ユーザの操作に応じて、前面モニタ３に拡大して表示する人物を選択して指定するための信号をＣＰＵ９へ出力する。ＣＰＵ９は、人物指定操作部１８からの信号に基づいて撮影画面（背面モニタ１７に表示された画像）において指定した人物の位置座標を算出する。拡大操作部１９は、人物指定操作部１８で指定された位置を中心に画像を所定の拡大率で拡大して表示するための拡大指示信号をＣＰＵ９へ出力する。
【００１４】
次に、カメラの動作について説明する。ユーザが電源スイッチ５を操作することによりカメラの電源がオンとなると、ＣＰＵ９は、タイミングジェネレータ８、画像処理部１３、およびＬＣＤ駆動回路１７１を制御して、たとえば１／３０秒の周期で背面モニタ１７に表示される画像を更新する。すなわち、背面モニタ１７には、被写体の動画像がスルー画として表示される。
【００１５】
背面モニタ１７にスルー画が表示されている際に、ユーザがレリーズボタン４を半押し操作して撮影準備を指示すると、ＣＰＵ９は画像処理部１３から入力した画像データを用いて上述した顔認識処理を行なう。顔が認識されると、ＣＰＵ９はＬＣＤ駆動回路６１を制御して、前面モニタ３を点灯して画像表示を開始する。前面モニタ３に表示される画像も、上述した背面モニタ１７に表示される画像と同様にして、たとえば１／３０秒の周期で更新される。したがって、前面モニタ３には、背面モニタ１７に表示されているスルー画と同一のスルー画が表示される。なお、顔が認識できない場合は、ＣＰＵ９は前面モニタ３を点灯せず、画像表示しない。
【００１６】
前面モニタ３にスルー画が表示されているときに、人物指定操作部１８から人物指定信号を入力すると、ＣＰＵ９は前面モニタ３に拡大表示する画像の中心位置を特定し、その位置を中心とする矩形枠を背面モニタ１７に表示する。その結果、背面モニタ１７には、人物指定操作部１８で指定された人物の顔が枠で囲われて表示されるので、撮影者はどの人物を指定しているかを把握できる。
【００１７】
ＣＰＵ９が上記の中心位置を特定した状態で拡大操作部１９から拡大指示信号を入力すると、ＣＰＵ９は画像処理部１３から入力した画像データに対して、中心座標を基準として所定の拡大率で拡大した表示用拡大画像データを作成する。そして、ＣＰＵ９は作成された表示用拡大画像データに対応する拡大画像を前面モニタ３に表示させる。この状態で、さらに拡大指示信号を入力した場合は、ＣＰＵ９は中心位置を基準として拡大率を一段引上げた表示用拡大画像データを作成し、対応する拡大画像を前面モニタ３に表示させる。この結果、前面モニタ３には、指定された人物を中心とした拡大画像が表示される。
【００１８】
ユーザがレリーズボタン４を全押しして撮影を指示すると、ＣＰＵ９は撮影処理を行ない、撮像素子７から画像を取得して、画像処理部１３へ入力する。ＣＰＵ９は、画像処理部１３で上述した画像処理の施された画像データを入力すると、入力した画像データを圧縮処理して、記録媒体１６に書き込む。さらに、ＣＰＵ９は撮影により取得された画像をフリーズ画として、背面モニタ１７に、所定時間、たとえば２秒間、表示する。前面モニタ３が点灯している場合は、同様のフリーズ画を前面モニタ３に表示する。前面モニタ３が点灯していない場合は、ＣＰＵ９は上記フリーズ画を背面モニタ１７にのみ所定時間表示する。
【００１９】
図３に示すフローチャートを用いて、第１の実施の形態によるカメラの動作を説明する。図３の各処理手順はＣＰＵ９でプログラムを実行して行われる。図３の各処理を行なうプログラムはメモリ（不図示）に格納されており、電源スイッチ５からオン信号が入力されると起動される。
ステップＳ１０１においては、背面モニタ１７にスルー画を表示させてステップＳ１０２へ進む。ステップＳ１０２においては、レリーズボタン４が半押しされたか否かを判定する。半押しスイッチ４ａから半押し信号を入力しない場合は、ステップＳ１０２が否定判定されてステップＳ１０１へ戻る。半押しスイッチ４ａから半押し信号を入力した場合、ステップＳ１０２が肯定判定されてステップＳ１０３へ進む。
【００２０】
ステップＳ１０３においては、画像処理部１３から入力した画像データを用いて上述した顔認識処理を行なってステップＳ１０４へ進む。ステップＳ１０４においては、ステップＳ１０３で行なった顔認識の結果、画像上に人物の顔が検出されたか否かを判定する。ステップＳ１０３で顔認識されて画像上に人物の顔が検出された場合は、ステップＳ１０４が肯定判定されてステップＳ１０５へ進む。
【００２１】
ステップＳ１０５においては、前面モニタ３を点灯し、スルー画を前面モニタ３に表示させてステップＳ１０６へ進む。ステップＳ１０６においては、前面モニタ３に表示中の画像の拡大を指示する操作が行なわれたか否かを判定する。拡大操作部１９から拡大指示信号を入力した場合は、ステップＳ１０６が肯定判定されてステップＳ１０７へ進む。
【００２２】
ステップＳ１０７においては、ステップＳ１０６で入力した拡大指示信号に基づいて、前面モニタ３に表示中の画像を、人物指定操作部１８の指定があれば指定された人物を中心として所定の拡大率で拡大して生成された拡大画像を前面モニタ３に表示させる。さらに、背面モニタ１７には、人物指定操作部１８で指定された位置を中心とした所定の大きさの枠を表示させてステップＳ１０８へ進む。
【００２３】
ステップＳ１０６において、拡大指示信号を入力しない場合は、ステップＳ１０６が否定判定されて、ステップＳ１０７をスキップしてステップＳ１０８へ進む。ステップＳ１０８においては、レリーズボタン４が全押し操作されたか否かを判定する。全押しスイッチ４ｂから全押し信号を入力しない場合は、ステップＳ１０８が否定判定されてステップＳ１０２へ戻る。全押しスイッチ４ｂから全押し信号を入力した場合は、ステップＳ１０８が肯定判定されてステップＳ１０９へ進む。
【００２４】
ステップＳ１０９においては、撮像素子７から出力された画像信号に対して画像処理部１３で画像処理が施されて生成された画像データを取得してステップＳ１１０へ進む。ステップＳ１１０においては、画像処理の施された画像データを圧縮してステップＳ１１１へ進む。ステップＳ１１１においては、画像データを記録媒体１６に記録してステップＳ１１２へ進む。ステップＳ１１２においては、前面モニタ３および背面モニタ１７に、ステップＳ１０９で取得した画像をフリーズ画として所定時間の間表示させてステップＳ１１３へ進む。
【００２５】
ステップＳ１１３においては、電源がオフされたか否かを判定する。電源スイッチ５からオフ信号を入力した場合は、ステップＳ１１３が肯定判定されて一連の処理を終了する。電源スイッチ５からオフ信号を入力しない場合は、ステップＳ１１３が否定判定されてステップＳ１０１へ戻る。
【００２６】
一方、ステップＳ１０３における顔認識の結果、画像上に人物の顔が検出されない場合は、ステップＳ１０４が否定判定されてステップＳ１１４へ進む。ステップＳ１１４（レリーズ全押し判定）からステップＳ１１７（記録処理）までの各処理は、ステップＳ１０８（レリーズ全押し判定）からステップＳ１１１（記録処理）までの各処理を同様の処理を行なう。ステップＳ１１８においては、背面モニタ１７にステップＳ１１５で取得された画像をフリーズ画として所定時間の間表示してステップＳ１１３へ進む。
【００２７】
以上で説明した第１の実施の形態のカメラによれば、以下の作用効果が得られる。
（１）ＣＰＵ９は、画像処理部１３から入力した画像データを用いて顔認識を行ない、画像上に人物の顔を検出すると、被写体と対向する前面モニタ３を点灯させて、画像を前面モニタ３にも表示させるようにした。また、顔認識の結果、画像上に人物の顔が検出されない場合は、ＣＰＵ９は前面モニタ３を点灯せず、画像を背面モニタ１７のみに表示させるようにした。すなわち、ＣＰＵ９は、顔認識の結果に基づいて、前面モニタ３の点消灯を制御する。したがって、画像に人物が含まれる場合に前面モニタ３に画像を表示するので、ユーザが前面モニタ３の点消灯の設定を操作する必要がなく利便性が向上する。また、常に前面モニタ３を点灯する場合と比べて消費電力を低減できる。さらに、撮影者が背面モニタ１７で確認している画像と同一の画像が前面モニタ３に表示されるので、撮影される人達も、撮影画像の構図や、自分の姿勢や表情などを確認して、どのような画像が撮影されるのかを予め把握できる。
【００２８】
（２）拡大操作部１９を操作することにより、顔認識で認識された顔を中心として拡大した拡大画像が前面モニタ３に表示されるようにした。したがって、撮影者と被写体との距離が離れていても、撮影される人達は前面モニタ３を見ながら自分の表情を確認することができるので、どのような画像が撮影されるのかを予め把握することができる。
【００２９】
（３）人物指定操作部１８を操作することにより、前面モニタ３に拡大画像を表示する際に、拡大画像の中心とすべき人物を背面モニタ１７に表示された画像上から選択して指定できるようにした。したがって、画像上の複数の人物の中から前面モニタ３に表示される拡大画像の中心となる人物を切り替えることができるので、複数の人物が被写体の場合であっても、それぞれの人物が自分の撮影状態を予め確認することができる。さらに、背面モニタ１７においては、人物指定操作部１８で指定した人物を枠で囲んで表示するようにしたので、撮影者は前面モニタ３に拡大表示されている人物を把握することができる。
【００３０】
−第２の実施の形態−
第２の実施の形態によるカメラについて、第１の実施の形態のカメラとの相違点を主に説明する。第２の実施の形態のカメラは、図１および図２に示す第１の実施の形態のカメラと同様の外観および回路構成を有するものとする。また、カメラは、モードダイヤル６で設定可能な撮影モードとして、たとえば顔認識モード、ポートレートモード、セルフタイマモード、風景モードなどを有するものとする。
【００３１】
第２の実施の形態のカメラにおいては、ＣＰＵ９は顔認識処理による人物の存在を判定することに代えて、モードダイヤル６で設定された撮影モードに基づいて画像に人物が含まれているか否かを判定し、前面モニタ３の点消灯を制御する。すなわち、ＣＰＵ９は、モードダイヤル６から入力したモード選択信号に基づいて、上記顔認識モード、ポートレートモード、セルフタイマモードのように、人物の撮影に関する撮影モードが選択されたと判定すると、前面モニタ３を点灯し、画像を表示させる。その結果、前面モニタ３および背面モニタ１７には同一のスルー画が表示される。また、ＣＰＵ９は、たとえば風景モードなどのように人物撮影に関係しない撮影モードが選択されたと判定した場合は、前面モニタ３を点灯させず、背面モニタ１７にのみスルー画を表示させる。
【００３２】
図４に示すフローチャートを用いて、第２の実施の形態によるカメラの動作について、第１の実施の形態のカメラの動作との相違点を主に説明する。図４の各処理手順はＣＰＵ９でプログラムを実行して行われる。図４の各処理を行なうプログラムはメモリ（不図示）に格納されており、電源スイッチ５からオン信号が入力されると起動される。
ステップＳ２０１においては、図３のステップＳ１０１と同様に背面モニタ１７にスルー画を表示させてステップＳ２０２へ進む。ステップＳ２０２においては、入力したモード選択信号に基づいて人物撮影に関する撮影モードが選択されたか否かを判定する。上記顔認識モード、ポートレートモード、セルフタイマモードのように、人物の撮影に関する撮影モードが選択された場合は、ステップＳ２０２が肯定判定されてステップＳ２０３へ進む。
【００３３】
ステップＳ２０３においては、前面モニタ３を点灯し、スルー画を表示させてステップＳ２０４へ進む。ステップＳ２０４においては、レリーズボタン４が半押しされたか否かを判定する。半押しスイッチ４ａから半押し信号を入力しない場合は、ステップＳ２０４が否定判定されてステップＳ２０３へ戻る。半押しスイッチ４ａから半押し信号を入力した場合、ステップＳ２０４が肯定判定されてステップＳ２０５へ進む。ステップＳ２０５（拡大指示操作の有無判定）からステップＳ２１２（電源オフ判定）までの各処理は、図３のステップＳ１０６（拡大指示操作の有無判定）からステップＳ１１３（電源オフ判定）までの各処理と同様の処理を行なう。
【００３４】
一方、人物撮影に関する撮影モードが選択されていない場合は、ステップＳ２０２が否定判定されてステップＳ２１３へ進む。ステップＳ２１３においては、ステップＳ２０４と同様に半押しスイッチ４ａが半押しされたか否かを判定する。半押しスイッチ４ａから半押し信号を入力しない場合は、ステップＳ２１３が否定判定されて当該判定処理を繰り返す。半押しスイッチ４ａから半押し信号を入力した場合、ステップＳ２１３が肯定判定されてステップＳ２１４へ進む。ステップＳ２１４（レリーズ全押し判定）からステップＳ２１８（背面モニタにフリーズ画表示）までの各処理は、図３のステップＳ１１４（レリーズ全押し判定）からステップＳ１１８（背面モニタにフリーズ画表示）までの各処理と同様の処理を行なう。
【００３５】
以上で説明した第２の実施の形態によれば、以下の作用効果が得られる。
ＣＰＵ９は、複数の撮影モードの中から、顔認識モード、ポートレートモード、セルフタイマモードなどのように、人物の撮影に関する撮影モードが設定されたことを判定した場合に、前面モニタ３を点灯し、画像を表示させるようにした。すなわち、ＣＰＵ９は、設定された撮影モードに基づいて、画像に人物が含まれていると判定され、被写体が人物である可能性が高い場合に前面モニタ３に画像を表示する。この第２の実施の形態のカメラにおいても、第１の実施の形態のカメラと同様の効果を得ることができる。
【００３６】
以上で説明した実施の形態のカメラを以下のように変形できる。
（１）カメラ本体１に前面モニタ３を有するものに代えて、被写体に向けて画像を表示する位置へ移動するモニタを備えてもよい。この場合、図５に示すように、カメラ本体１には、両面にモニタを有する表示器２０が図示しないヒンジなどにより開閉可能に設けられている。図５（ａ）は表示器２０を閉じた状態のカメラの外観図であり、図５（ｂ）は表示器２０を開いた状態のカメラの外観図である。表示器２０は、第１モニタ２１および第２モニタ２２を有する。第１モニタ２１は、表示器２０が閉じられている場合は図５（ａ）の背面斜視図に示すように撮影者に対向し、表示器２０が開かれた場合は図５（ｂ）の正面斜視図に示すように被写体に対向する。第２モニタ２２は、表示器２０の第１モニタ２１が設けられた面とは異なる面に設けられ、表示器２０が開かれると図５（ｂ）の背面斜視図に示すように撮影者に対向する。
【００３７】
さらには、図６に示すように、互いに回動するカメラ本体１Ａ、１Ｂを有するスイバル型構造を有するカメラに本発明を適用してもよい。この場合、第１モニタ３１がカメラ本体１Ａの背面に設けられ、第２モニタ３２がカメラ本体１Ｂに設けられる。カメラ本体１Ｂに設けられた第２モニタ３２は、ユーザによるカメラ本体１Ｂの回転操作に応じてその表示方向が変更可能となる。図６は、第２モニタ３２が被写体側（前面）に対向するようにカメラ本体１Ｂを回転させた状態を示す。
【００３８】
（２）画像に人物が含まれる場合であっても前面モニタ３の表示を行なわないように設定することもできる。この設定は、たとえば背面モニタ１７に表示されるメニュー画面により行なう。この場合、意図しない人物が画像上に検出された場合には前面モニタ３による不必要な画像表示を防ぐことができる。
【００３９】
さらに加えて、予め登録した人物が画像上で検出された場合にのみ前面モニタ３を点灯させてもよい。この場合、カメラは予め人物の顔に対応する画像データをテンプレートとして記録媒体１６などの不揮発性メモリに記録して登録する。テンプレートの記録は人物選択操作部１８で人物を選択してから、図示しない決定ボタンなどを操作して行なわれる。背面モニタ１７にスルー画を表示している際に、ＣＰＵ９は顔認識により人物の顔が検出されると、記録媒体１６に記録されたテンプレートを読み出し、顔認識で得られた人物の顔に対応する画像データと比較する。比較の結果、両者の画像データの一致度が所定値以上の場合、ＣＰＵ９は前面モニタ３を点灯し、画像を表示させればよい。この結果、意図しない人物が画像上に検出された場合には前面モニタ３の不必要な画像表示を防ぎ、所望の人物が検出された場合にのみ前面モニタ３に人物を表示できる。なお、顔に対応する画像データの比較は、たとえばパターンマッチングなどの手法を用いて行なえばよい。
【００４０】
（３）前面モニタ３に画像を表示するものに代えて、ケーブルや無線などによってカメラと接続されたパーソナルコンピュータのモニタやテレビモニタなどの外部機器の表示画面に画像をスルー画として表示させてもよい。この場合、外部機器の表示画面は被写体に対向する方向に配置されるものとする。
【００４１】
（４）被写体に対向する方向にモニタを備えるものに代えて、カメラにプロジェクタを備えるようにしてもよい。この場合、プロジェクタは、撮影者の後方上部などの被写体側から確認しやすい位置に設けられたスクリーンなどに、背面モニタ１７に表示される画像と同一の画像を投射すればよい。
【００４２】
（５）異なる方向を向いた２つのモニタを有するカメラ付きの携帯電話のような携帯用電子機器にも本発明を適用することができる。
【００４３】
（６）前面モニタ３と背面モニタ１７に同一の画像を表示するものに代えて、背面モニタ１７の画像と左右対称の鏡像を前面モニタ３に表示してもよい。この結果、被写体側から見て左右の把握が容易になるので、構図等の確認がしやすくなる。
【００４４】
（７）撮影モードがセルフタイマモードに設定されている場合は、前面モニタ３に撮影までの残り時間などを表示画像に重畳して表示してもよい。
【００４５】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４６】
【図１】本発明の実施の形態によるカメラの外観を説明する図であり、（ａ）は正面斜視図、（ｂ）は背面斜視図である。
【図２】実施の形態によるカメラの要部構成を説明するブロック図である。
【図３】第１の実施の形態によるカメラの動作を説明するフローチャートである。
【図４】第２の実施の形態によるカメラの動作を説明するフローチャートである。
【図５】変形例におけるカメラの外観図であり、（ａ）は表示器が閉じられた状態を示し、（ｂ）は表示器が開かれた状態を示す。
【図６】変形例におけるカメラの外観図であり、（ａ）は正面斜視図を示し、（ｂ）は背面斜視図を示す。
【符号の説明】
【００４７】
３    前面モニタ          ７    撮像素子
９    ＣＰＵ              １７  背面モニタ
１８  人物指定操作部      １９  拡大操作部
【図１】
2008228053.tif 000003
【図２】
2008228053.tif 000004
【図３】
2008228053.tif 000005
【図４】
2008228053.tif 000006
【図５】
2008228053.tif 000007
【図６】
2008228053.tif 000008